(57)【特許請求の範囲】
【請求項１】
撮影レンズを通過する被写体光の結像による被写体像を電気信号に変換するための撮像素子を有する電子カメラにおいて、
撮影レンズを通過して上記撮像素子に結像する被写体光を、絞り開口を変化させて制限する絞り手段と、
撮影レンズ及び上記絞り手段の絞り開口を通過する上記被写体光を受光して、被写体の輝度を検出するための測光手段と、
上記撮像素子へ入射する被写体光を通過及び遮光するために開閉可能なシャッタ手段と、
上記測光手段の出力から算出した露光前の被写体輝度に関する第１のデータと、上記シャッタ手段を開状態にしたときの上記撮像素子の出力から算出した露光レベルより求められる被写体輝度に関する第２のデータとに基づいて、上記絞り手段の絞り開口の違いによる第１のデータと第２のデータの差を補正して比較することにより上記シャッタ手段が正常に動作したか否かを判定する判定手段と、
上記判定手段によって上記シャッタ手段が正常に動作していないと判定された揚合に、所定の警告を行う警告手段と、
を具備することを特徴とする電子カメラ。
【請求項２】
上記判定手段は、補正された上記第１のデータと上記第２のデータとの差が所定値以上の場合、上記シャッタ手段が正常に動作していないと判定することを特徴とする請求項１に記載の電子カメラ。
【請求項３】
上記判定手段が、上記第１のデータは上記第２のデータよりも所定値以上明るいと判定した場合、上記シャッタ手段が開かなかったと判定することを特徴とする請求項１に記載の電子カメラ。
【請求項４】
上記判定手段が、上記第１のデータは上記第２のデータよりも所定値以上暗いと判定した場合、上記シャッタ手段が閉じなかったと判定することを特徴とする請求項１に記載の電子カメラ。
【請求項５】
上記第１のデータは、上記測光手段の中央領域に基づいて算出され、上記第２のデータは、上記撮像素子の中央領域に基づいて算出されることを特徴とする請求項１に記載の電子カメラ。
【請求項６】
上記警告手段は、視覚的にエラー表示を行うエラー表示手段であることを特徴とする請求項１に記載の電子カメラ。
【請求項７】
さらに、上記判定手段によって上記シャッタ手段が正常に動作していないと判定された場合に画像データの記録を行わないことを特徴とする請求項１に記載の電子カメラ。
【請求項８】
上記シャッタ手段は、フォーカルプレーンシャッタであることを特徴とする請求項１に記載の電子カメラ。
【発明の詳細な説明】
【０００１】
【発明の属する技術分野】
この発明は電子カメラ、デジタルカメラに関する。
【０００２】
【従来の技術】
近年、被写体像をＣＣＤやＣＭＯＳなどの撮像素子上に結像して電気的に静止画像を記録するような電子撮像機能を有するいわゆる「デジタルカメラ」と呼ばれる電子スチルカメラが提供されはじめている。この種の電子カメラでは通常、撮像画像をモニタ表示してその画像が正しく撮像されたかどうかを確認するようになっている。このような従来の電子カメラにおいては、撮像素子と被写体像の間に機械的なシャッタ手段を設け、撮像素子が有する電気的なシャッタ機能と共に機械的なシャッタ手段を併用することにより、この撮像素子のスミア等の影響を低減して、質の良い画像を撮像できるように構成されたものが提案されている。
【０００３】
一方、従来からの「銀塩カメラ」と呼ばれる一般的なカメラにおいて、特にいわゆる「一眼レフ」カメラにおいては、シャッタの開動作及び閉動作を電気的に検出し、銀塩フィルムへの露光が正常に行われたか否かを検出および表示する技術が採用されており、例えばフォーカルプレーンシャッタを含むシャッタ機構の走行状態を専用に検出する為の検出素子によって、銀塩フィルムへの露光が正常に行われたか否かを検出し表示するように構成されているものも提案されている。
【０００４】
【発明が解決しようとする課題】
しかしながら、上述の電子スチルカメラの場合には次のような不具合がある。例えばカメラを使用の際に故障などになり、正常な撮影が機構的に不可能となるときがあり、この様な場合に対応して、モニタ表示機能をもつ電子スチルカメラでは、撮像した画像をモニタに表示出力し、撮影者はその画像をモニタ上でチェックすることでその撮影が正常に行われたかどうかを確認できるようになっている。
【０００５】
しかしこのような場合、例えばシャッタが作動しない等のカメラの動作不良が発生したならば、それは撮影者自身がその原因を判断しなければならず、実際その撮影者は自分の撮影方法（例えば設定操作）に問題があるのか又は、カメラ機構自体の動作上に不具合があるのかの判別が難しいという問題がある。さらにはカメラ自体の動作不良による失敗画像であってもその画像はメモリに記録され表示出力されるので、消費電力的に無駄であるばかりか、撮影者はわざわざその画像記録を消去しなければならず、その分の手間が余分にかかってしまう。
【０００６】
一方、従来の銀塩カメラでは、シャッタの機能不良を検知するため専用の検知機構を備えている故に、シャッタ機構の異常検出は自動的にできるが、この為には専用のシャッタ検出素子、例えばシャッタＰＩ等が必要となる故に、そのコストやその設置スペースにおいて不利であるという問題がある。
【０００７】
そこで本発明の目的とする処は、例えばシャッタ等の動作不良を検出するために、専用の検知機構等の設置コスト及び設置スペース上の無駄がなく、電力消費の無駄を省き、撮影者にわかり易くて手間のいらない、「露光不良検出システム」機能を有した電子スチルカメラ（デジタルカメラ）を提供することにある。
【０００８】
【課題を解決するための手段】
本発明は上述した現状に鑑みてなされたものであり、上記問題を解決し目的を達成するため本発明の電子カメラでは、撮影直前の例えば測光時の被写体の輝度（即ち被写体から反射された光量）と、撮影時（即ち露光したであろう瞬間）の被写体の輝度とに注目し、これらの輝度の差の大きさによってシャッタ機構等の動作状態（例えば開閉状態）を判断できるという着想から生まれたものである。そして、もしこの輝度差がかなりある場合にはカメラに何らかの故障が発生したとみなして、その故障に対処すべく警告が必要となるとして、次のような手段を講じている。
【０００９】
本発明によれば、撮影レンズを通過する被写体光の結像による被写体像を電気信号に変換するための撮像素子を有する電子カメラにおいて、撮影レンズを通過して上記撮像素子に結像する被写体光を、絞り開口を変化させて制限する絞り手段と、撮影レンズ及び上記絞り手段の絞り開口を通過する上記被写体光を受光して、被写体の輝度を検出するための測光手段と、上記撮像素子へ入射する被写体光を通過及び遮光するために開閉可能なシャッタ手段と、上記測光手段の出力から算出した露光前の被写体輝度に関する第１のデータと、上記シャッタ手段を開状態にしたときの上記撮像素子の出力から算出した露光レベルより求められる被写体輝度に関する第２のデータとに基づいて、上記絞り手段の絞り開口の違いによる第１のデータと第２のデータの差を補正して比較することにより上記シャッタ手段が正常に動作したか否かを判定する判定手段と、上記判定手段によって上記シャッタ手段が正常に動作していないと判定された揚合に、所定の警告を行う警告手段と、を備えた電子カメラを提案する。
【００１０】
また、上記判定手段は、補正された上記第１のデータと上記第２のデータとの差が所定値以上の場合、上記シャッタ手段が正常に動作していないと判定することを特徴にもつような上記発明に記載した電子カメラを提案する。
さらに、上記判定手段が、上記第１のデータは上記第２のデータよりも所定値以上明るいと判定した場合、上記シャッタ手段が開かなかったと判定することを特徴にもつような上記発明に記載した電子カメラを提案する。
また、上記判定手段が、上記第１のデータは上記第２のデータよりも所定値以上暗いと判定した場合、上記シャッタ手段が閉じなかったと判定することを特徴にもつような上記発明に記載した電子カメラを提案する。
そして、上記第１のデータは、上記測光手段の中央領域に基づいて算出され、上記第２のデータは、上記撮像素子の中央領域に基づいて算出されることを特徴にもつような上記発明に記載した電子カメラを提案する。
さらに、上記警告手段は、視覚的にエラー表示を行うエラー表示手段であることを特徴にもつような上記発明に記載した電子カメラを提案する。
【００１１】
また、上記判定手段によって上記シャッタ手段が正常に動作していないと判定された場合に画像データの記録を行わないことを特徴にもつような上記発明に記載した電子カメラを提案する。
さらに、上記シャッタ手段は、フォーカルプレーンシャッタであることを特徴にもつような上記発明に記載した電子カメラを提案する。
【００１２】
【発明の実施の形態】
以下、本発明に係わる複数の実施形態を挙げ、関連する図面を参照しながら詳しく説明する。
（第１実施形態例）
カメラの測光手段としてのＡＥセンサと、撮像手段としての撮像素子と、シャッタを含むシャッタ手段とを少なくとも有する電子カメラを一例として説明する。
図１には、撮影レンズを通過した被写体像をファインダで観察可能ないわゆる「一眼レフ」タイプの電子カメラシステムに本発明を適用した場合のカメラの構成をブロック図で示している。
【００１３】
交換レンズ１は、カメラボディ３１に着脱可能な例えばズームレンズである。被写体像を結像させるためのこの交換レンズ１の撮影レンズ群は、前段から順にレンズ１０１、レンズ２、レンズ４およびレンズ１０２から構成されており、この撮影レンズ群中のレンズ２とレンズ４の間には絞り機構３が配置されている。この絞り機構３は、絞り駆動回路１２の出力に従って動作する絞りモータ１０によって駆動制御されるように構成されており、この絞り機構３の絞りの初期位置や停止位置は、これに接続されている絞りエンコーダ７によって検出され、その検出された位置情報はレンズ制御回路１４に入力されて上記絞り駆動回路１２にフィードバックされるように構成されている。
【００１４】
レンズ２は、ズーム駆動回路１１の出力に従って動作するレンズモータ９によって駆動制御される。そしてこのレンズ２の初期位置や停止位置は、ズームエンコーダ６によって検出され、その検出された位置情報はレンズ制御回路１４に入力され上記ズーム駆動回路１１にフィードバックされるように構成されている。一方、レンズ４は、フォーカス駆動回路１３の出力に従って動作するフォーカスモータ５によって駆動制御される。フォーカス駆動に従って変化するこのレンズ４の初期位置や停止位置は、フォーカスエンコーダ８によって検出され、その検出された位置情報はレンズ制御回路１４に入力され上記フォーカス駆動回路１３にフィードバックされるように構成されている。
【００１５】
レンズ制御回路１４は、フォーカスエンコーダ８、絞りエンコーダ７及びズームエンコーダ６に接続され、それぞれの出力に基づいて、ズーム駆動回路１１、絞り駆動回路１２及びフォーカス駆動回路１３を統括的に制御すると共に、その統括制御に必要な様々な演算等の処理を行うように構成されている。
【００１６】
また交換レンズ１のレンズ制御回路１４は、通信ライン１５と、カメラボディ３１側と接触する通信コンタクト１６を端面に露出して有し、この通信コンタクト１６を介してカメラボディ３１と随時通信を行い、交換レンズ１内の種々の回路の制御に反映すると共に、交換レンズ１側の状態をカメラボディ３１に逐次送信可能に形成されている。
【００１７】
さらにこの交換レンズ１内には、不揮発性メモリ３３がレンズ制御回路１４からアクセス可能に配置されており、交換レンズ１固有のデータを記憶している。
尚、この例では、上記不揮発性メモリ３３は書き換え可能な例えばＥＥＰＲＯＭで構成されている。
【００１８】
同様に、いわゆるデジタルカメラであるカメラボディ３１は次のように構成されている。すなわち、上述の交換レンズ１を通過した破線で示す被写体光が、中央近傍をハーフミラーとする可動ミラー１７に入射するように光路上に配置され、更にこの可動ミラー１７の中央背面部分にはサブミラー１８が破線で示す如く下方にその被写体光を反射するように設けられている。
【００１９】
またこのサブミラー１８の反射光の方向である鉛直方向には、２つの光学系から成る二像分離のためのセパレータ光学系１９が配置されている。この一方の光学系を成すセパレータ光学系１９により結像される位置にはラインセンサ２０が配置され、このラインセンサ２０はラインセンサ駆動回路２８に接続されている。そしてこれらサブミラー１８、セパレータ光学系１９およびラインセンサ２０等によって公知技術「位相差法」による焦点検出装置が構成されており、カメラボディ３１を統括制御する制御回路３５に接続している。
【００２０】
カメラボディ３１は前述の交換レンズ１と電気的／物理的に接続できるように通信コンタクト３９をその端面に露出して有し、この通信コンタクト３９と通信ライン３８を介して制御回路３５と接続している。
【００２１】
この制御回路３５はラインセンサ駆動回路２８を介して入力した信号に基づいて、得られた二像の間隔を求め、フォーカスのずれ量を通信ライン３８と通信コンタクト３９を介して交換レンズ１側のレンズ制御回路１４に送信することができるように構成されている。そしてこのレンズ制御回路１４は、合焦位置にレンズを駆動するために、カメラボディ３１より送信されたフォーカスのずれ量から交換レンズ１内の撮影レンズ４の駆動量を演算し、前述のフォーカス駆動を行い、適宜なフォーカス調整を行うように構成されている。
【００２２】
一方、ミラーダウン状態の可動ミラー１７の反射光路（鉛直方向の破線）上には、観察時の視野を規定する焦点板２４と、図示しないファインダへ被写体光の一部を導くペンタプリズム２５及びファインダ接眼光学系２６が図示の如く配置されている。
【００２３】
また可動ミラー１７の後方にはフォーカルプレーンシャッタ２１が、さらに、シャッタ２１の後方には光学的なローパスフィルター２２及び被写体像を撮像してイメージ信号に変換する撮像素子２３がそれぞれ配置されている。シャッタ手段としてのフォーカルプレーンシャッタ２１にはシャッタ駆動回路２９が接続され、このシャッタ駆動回路の制御によって適宜に開閉駆動される。また可動ミラー１７にはミラー駆動回路２７が接続され、これによってミラーアップ／ダウン駆動される。
【００２４】
可動ミラー１７が上昇（ミラーアップと称す）し、フォーカルプレーンシャッタ２１が開状態となると、撮像素子２３上に被写体像が結像し、所定のタイミング信号によって撮像が開始される。撮像を終了するためフォーカルプレーンシャッタ２１が閉状態となると、この撮像素子２３の撮像を終了し、撮像素子２３の光量蓄積データが画像処理回路４２に転送される。撮像素子２３は画像処理回路４２によって制御され、結像された被写体像をアナログ映像信号に変換処理した後、メモリに記憶する。尚、画像処理回路４２についての詳細は後述する（図２参照）。
【００２５】
カメラボディ３１内の制御回路３５にはさらに、ストロボ回路３２、表示回路３４およびスイッチ入力回路３６がそれぞれ接続されており、ストロボ回路３２は、被写体照明用に補助光として動作するストロボの発光を駆動制御する。警告手段としても用いる表示回路３４は、例えば液晶ユニットを用いた表示出力を駆動制御する。またスイッチ入力回路３６は、図示しない各種操作スイッチのそれぞれの状態を検出してこれらの情報を制御回路３５に入力する。尚、ここで各種操作スイッチとは、例えば被写体像の露光指示のためのレリーズスイッチなどである。本第１実施形態例のカメラのレリーズスイッチは、押圧により二段階のＯＮ状態を有する二段階スイッチとなっている。詳しくは、レリーズスイッチの半押し操作により、最初に１ｓｔ．レリーズスイッチ（１ＲＳＷ）がＯＮ状態となり、更にこの状態のスイッチを押し込むと２ｎｄ．レリーズスイッチ（２ＲＳＷ）がＯＮ状態となるような構造のスイッチ要素で構成されている。よって、カメラ操作者，即ち撮影者によりレリーズスイッチがＯＮ操作されると、このカメラの制御回路３５はスイッチ入力回路３６を介してそれを検出し、撮像素子への露光動作を開始するように制御されている。
【００２６】
また、ペンタプリズム２５と接眼レンズ２６上方には、被写体の輝度を測光する測光センサ３７が設けられており、これに接続された測光センサ駆動回路４１によって駆動制御され、被写体光の輝度が測光できるように構成されている。つまり、可動ミラー１７によって反射された被写体光の輝度がこの測光センサ３７で測定可能になっている。
【００２７】
交換レンズ１が装着されている場合は、カメラボディ３１は通信コンタクト３９および通信ライン３８を介してその交換レンズ１との通信を行なっている。  なお、カメラボディ３１側の電源３０は、このカメラボディ３１内の回路へ電力を供給すると共に、通信コンタクト３９を介して交換レンズ１に対しても電源供給が可能な構成にもなっている。
【００２８】
また、測光センサ３７のセンサ面に隣接して、図示の集光レンズが設けられており、被写体光をセンサ面に結像している。測光センサ３７の視野等については詳しく後述する。
上述のミラー駆動回路２７、ラインセンサ駆動回路２８、シャッタ駆動回路２９、画像処理回路４２、測光センサ駆動回路４１、表示回路３４、ストロボ回路３２、スイッチ入力回路３６は、それぞれ制御回路３５により制御されている。
【００２９】
図２には、上述した画像処理回路４２の詳細な構成が示されている。この画像処理回路４２は、この回路を統括的に制御するコントロール部５１と、撮像素子２３からのアナログ画像信号をデジタル画像信号に変換するＡ／Ｄ変換部５２と、後述する所定の処理を行う画像処理部５３と、処理済み信号を一時的に記憶しておくバッファメモリ５４と、電子画像の記憶保持のための外部メモリ５５から構成されている。
【００３０】
画像処理回路４２ではカメラボディ３１の制御回路３５により制御されるコントロール部５１の制御によって、画像処理関連の動作を適宜制御している。例えば、撮像素子２３は結像された被写体像をアナログ映像信号に変換し、画像処理回路４２に出力する。また画像処理回路４２では、上記アナログ信号処理信号のデジタル信号への変換をＡ／Ｄ変換部５２で行い、「シェーディング補正」、「色補正」等の各種補正や、「画像圧縮」等の処理を含む所定の画像処理を画像処理部５３で実行し、上記の処理済み信号をバッファメモリ５４に記憶した後、さらに外部メモリ５５に転送して記録する。外部メモリ５５は、カメラ本体３１に対して装着自在であり、電気的に書き換えもでき、カメラ本体３１の電源がオフ（ＯＦＦ）しても電子画像の記憶が保持されるので、電子画像の記録に用いられる。
【００３１】
以上説明したバッファメモリ５４、外部メモリ５５、画像処理回路５３、撮像素子２３の動作は、カメラボディ３１側の制御回路３５によって通信制御されているコントロール回路５１により制御される。また画像処理部５３、バッファメモリ５４、外部メモリ５５、および補正値等を記憶する外部メモリ５５は共通のデータバスで接続されており、各種データの授受が相互に可能な構成となっている。
【００３２】
ここで、図３（ａ）にはカメラのファインダに位置している測光センサ３７の被写体に対する視野範囲を示し、詳しくは図３（ａ）に、ＡＥセンサ等から成る測光手段（測光センサ３７）がこの視野範囲に対応して九分割されていることを示している。すなわち、測光センサ３７の受光素子は図示する如く９つのパターンに分割されており、このセンサを構成する９個のセンサが視野内の輝度を領域Ａ〜Ｉの９つの部分でそれぞれ感知し、「被写体輝度」を測光することが可能となっていることがわかる。
【００３３】
ところで、本実施形態では、露光前に上記測光センサ３７の作動により被写体輝度の測光を行うとともに、露光によって撮像素子２３を介して撮像時に撮像データから露光時の被写体の輝度に相当する値をＡＥ評価値（測光評価値）として求め、種々に利用している。
【００３４】
図３（ｂ）には、上述の撮像の際にＡＥ評価値を求める場合の測光値の範囲を示している。すなわち、視野範囲の鉛直方向を３つの領域、即ち領域α、領域βおよび領域γに分割して、露光の際の撮像データからＡＥ評価値を求めるように構成されていることがわかる。
【００３５】
ここで図３（ｂ）のような領域に分割されているのは、本実施形態のような撮像素子では撮像素子が通常水平方向の撮像データを蓄積、転送することから、水平方向に分割した方がＡＥ評価値を算出しやすいためである。また、図３（ａ）のように測光センサが分割されているのは、より細かく被写体輝度を検出するとともに、図３（ｂ）に対応した水平方向３分割のＡＥ評価値と比較演算しやすいようにするためである。
【００３６】
なお、上記「被写体輝度」とは、視野全体の反射光量を意味している。これによりこの光量を検知することで露光量を決定することができ、更に露光前の被写体輝度測光値と露光の際の被写体輝度に対応するＡＥ評価値を比較することで、シャッタ２１が正常に動作したかを検出することができる。
【００３７】
以下からは、第１実施形態例の電子カメラに係わる制御について説明する。
まず図４のフローチャートにはカメラシーケンスのメインルーチンを例示する。最初にステップＳ１において、カメラ内の種々の初期化を行う（Ｓ１）。
【００３８】
ステップＳ２において、ダメージフラグの値（１又は０）に基づき、ダメージ、即ち故障の有無を判定し（Ｓ２）、もし１である場合には後述するサブルーチン『ダメージ処理』（図８参照）を実行する。一方、０の場合は通常のカメラとしての表示を行い、カメラ動作を行う期間を計時するための表示タイマをここでスタートさせる（Ｓ４）。
【００３９】
ステップＳ５において、この表示タイマが満了したか否かを判定し、もし満了した場合には、「スタンバイ」、即ちカメラの待機状態の為の所定の準備を行い（Ｓ１１）、所定のスタンバイ状態でカメラを待機させる（Ｓ１２）。一方、まだこの表示タイマが満了していない場合には、ステップＳ６からＳ９に至る通常のカメラとしての動作処理いを行う。ステップＳ６において所定の表示処理を行う（Ｓ６）。
【００４０】
そして、ステップＳ７において、カメラが何らかの操作がされたかを判定し（Ｓ７）、もし操作された場合にはその操作に対応するような所定のカメラ動作に関する処理を実行してから（Ｓ８）、次のステップ９に進む。
ステップ９では、ここで特にレリーズに対し手動操作されたか否かの判定を行い（Ｓ９）、操作された場合は次に詳述する『レリーズ処理』（図５参照）を実行してから（Ｓ１０）、再びステップＳ５に戻って、前述の表示タイマが満了するまで同様な処理ステップ（Ｓ５〜Ｓ１２）を繰り返す。
【００４１】
図５のフローチャートには、上述のサブルーチン『レリーズ処理』の動作手順を示している。すなわち、
ステップＳ２１において、１ｓｔ．レリーズがＯＮ操作されたか否かを判定し（Ｓ２１）、もし否の場合は上述したメインルーチンにリターンする。  一方、１ｓｔ．レリーズがＯＮ操作された場合には、ステップＳ２２において、被写体に対する焦点検出を行い（Ｓ２２）、その検出された合焦点までのレンズ駆動を行い（Ｓ２３）、その後、被写体に対する測光を行う（Ｓ２４）。
【００４２】
尚、この測光は前述の測光センサ３７を用いて、測光センサ３７の分割された各エリアのセンサが検知した光量に応じた光電流を電圧変換する従来の測光方式を適用して行う。また、測光センサ３７を用いて検出された値は制御回路３５において一時的に保持され、下記の露出演算に使用する。
【００４３】
続いて、ステップＳ２５では、撮像素子に対する最適な露光のための露出演算を行う（Ｓ２５）。詳しくは、測光センサ３７の各センサで測光した被写体輝度と撮像素子２３の感度に基づき、次式によって絞り値とシャッタ速度を決定する。すなわち、
ＥＶ（露出値）＝ＡＶ（露出時絞り）＋ＴＶ（露出時シャッタ速度）
＝ＢＶ（１ｓｔ．レリーズ時測光輝度）＋Ｘ（撮像素子感度）。
【００４４】
また、ステップＳ２６においては、２ｎｄ．レリーズがＯＮ操作されたか否かの判定を行い（Ｓ２６）、否の場合は、ステップＳ２７で再び１ｓｔ．レリーズがＯＮ操作されたか否かを判定する（Ｓ２７）。もし否の場合はメインルーチンにリターンするが、１ｓｔ．レリーズがＯＮ操作された場合には、上記ステップＳ２６に戻って再度ステップＳ２６から実行する。
【００４５】
後述するサブルーチン『再測光』を実行する（Ｓ２８）。尚、ここでは１ｓｔ．レリーズ操作時に測光動作を行うが、１ｓｔ．レリーズで当該被写体にＡＥロックおよびフォーカスロックし、２ｎｄ．レリーズ操作時にはフレーミングを変えて撮影する可能性があるので、この２ｎｄ．レリーズ操作後に再度測光を行う。またこの測光結果は露出演算には利用せず、後述のようにエラー（故障）検出のために用いる。
その後、ステップＳ２９において、露光のためのミラーアップを行い（Ｓ２９）、ステップＳ３０において、最適露出のための絞りの絞り込み動作を行う（Ｓ３０）。
【００４６】
またステップＳ３１においては、露光のためフォーカルプレーンシャッタを開くように指示を行う。（つまり、フォーカルプレーンシャッタの先幕の走行を開始する）（Ｓ３１）。そして続くステップＳ３２では撮影のための撮像指示を行う（Ｓ３２）。具体的には、撮像秒時を画像処理部に送信し撮像開始を指示する。画像処理部は撮像素子で被写体像の撮像動作を開始して、所定撮像秒時後、その撮像素子のアナログ信号を転送し各種の画像処理を行う。このように、所定秒時後、信号の転送を行う電子シャッタに加えて、フォーカルプレーンシャッタにより機械的なシャッタによる被写体光の遮断を行うのは、スミア防止等の為である。そして画像処理部では、撮像信号をＡ／Ｄ変換と各種画像処理を行い、バッファメモリに撮像した画像データを記憶する。なお、本実施形態においては、画像処理の際には前述した図３（ｂ）中のβエリアの輝度値の算出やＡＥ評価データの作成も行われ、同時にバッファメモリに記憶され、その後は、撮像終了と共にβエリアのＡＥ評価データを制御回路へ送信する。尚、ここでの撮像素子２３上のβエリアは、図３（ａ）中の測光センサ３７のＤ，Ｅ，Ｆエリアの総和に相当するものである。このβエリアが横長形状になっている理由は、撮像素子のデータの読出し方法に対応して画像処理部の処理を簡略化するためである。またこのβエリアに対応可能なようにその測光センサの分割エリアを決定している。
【００４７】
前述のように本実施形態では、測光センサ３７のＤ，Ｅ，Ｆエリアの露光前の測光値と撮像素子２３のβエリアのデータより算出された露光中の測光値とを比較することにより、正常にシャッタ開閉が行われたかどうかを検出可能としている。
【００４８】
ステップＳ３３においては、所定の秒時が経過したか否かを行い（Ｓ３３）、所定時間だけ待機する。その後、ステップＳ３４において、そのシャッタを閉じる指示を行う（つまり、フォーカルプレーンシャッタの後幕の走行を開始する。）（Ｓ３４）。
【００４９】
ステップＳ３５においては、これまでアップされていたミラーをダウン動作させる（Ｓ３５）。そして、絞りを開放する動作を行う（Ｓ３６）。
続いて、ステップＳ３７においては、後述するサブルーチン『撮像エラー評価』（図７参照）を実行する（Ｓ３７）。尚、この撮像エラー評価により正常に撮影又は露光が行われたかが評価・判断される。
【００５０】
ステップＳ３８においては、当該被写体の撮像データをメモリ内に記憶することの指示を行うと共に（Ｓ３８）、ステップＳ３９では、例えば表示手段としての液晶表示デバイス上にその被写体像をモニタ表示する（Ｓ３９）。そしてメインルーチンにリターンする。
【００５１】
図６のフローチャートには、上述のサブルーチン『再測光』の動作手順を示している。すなわち、
まずステップＳ４１において、再度測光しようとする被写体に対応する視野内のエリアの選択を、複数に分割されて構成された測光センサ３７から行う（Ｓ４１）。本実施形態では、中央のエリアであるＤ，Ｅ，Ｆエリアを選択する。
【００５２】
ステップＳ４２では、そのエリアに対応する測光センサで得られた被写体の輝度も測定して（Ｓ４２）、その輝度に基づき「ファインダＡＥ評価値」を算出する（Ｓ４３）。そして上述の『レリーズ処理』にリターンする。
尚、ここで言う「ファインダＡＥ評価値」とは、撮影直前の被写体輝度値をファインダ光学系にある測光センサ３７を用いて測光した際の測光結果に基づく評価値である。
【００５３】
図７のフローチャートには、前述したサブルーチン『撮像エラー評価』の手順を示している。すなわち、
ステップＳ５１においては、露光の際の撮像素子２３により得られた輝度に基づくＡＥ評価値（本実施形態では撮像素子２３にＣＣＤを用いているので、ＣＣＤＡＥ評価値を記すことにする。）と、上記の露光直前に測光センサ３７より得られた「ファインダＡＥ評価値」との大小比較を行う（Ｓ５１）。詳しくは、再測光において被写体輝度からファインダＡＥ評価値があらかじめ算出されているので、これに対して、画像処理部で撮像した画像データに基づくＣＣＤＡＥ評価値を撮像終了後に算出して、制御回路に送信する。ただし、撮像時と再測光時では絞り値が異なるので同一条件に変換してそれらＡＥ評価値を比較する。即ち、下記の評価値ＢＶ１，ＢＶ２を次式に従って算出し、共に再測光時の絞り値相当の輝度に変換して比較を行う。即ち、
ＢＶ１＝ＢＶ（再測光時のファインダＡＥ評価値）
ＢＶ２＝ＢＶ（撮像時のＣＣＤＡＥ評価値）＋{ＡＶ１（撮像時の絞り値）
−ＡＶ２（再測光時の絞り値）}。
【００５４】
ステップＳ５２においては、第１のデータとしての「ファインダ輝度」と第２のデータとしての「ＣＣＤ輝度」（同様にＣＣＤＡＥ評価値からの算出結果をＣＣＤ輝度を記す。）との大小比較を行う（Ｓ５２）。ここで大きいことは、つまり輝度が明るいことを意味する。すなわち、ファインダ輝度に対してＣＣＤ輝度が所定値以上少ない（即ち暗い）場合には、シャッタが開かなかったことが予想される。そこで次のステップＳ５３において、輝度差がその所定値以上であるか否かを判定し（Ｓ５３）、もし否であればステップＳ５７に進む。一方、ステップＳ５３において所定値以上であった場合は、ステップＳ５４において、シャッタ開エラー表示を行うと共に、撮影が失敗したことを表示し（Ｓ５４）、ステップＳ５５において、シャッタ開エラーを示すフラグを１にセットする（Ｓ５５）。
そして、後述するサブルーチン『ダメージ処理』（図８参照）を実行する。
【００５５】
ステップＳ５７においては再び、ＣＣＤ輝度とファインダ輝度との大小比較を行い（Ｓ５７）、もしＣＣＤ輝度がファインダ輝度以下であれば、リターンする。一方ここで、ＣＣＤ輝度がファインダ輝度以上であれば、次にステップＳ５８において、輝度差が所定値以上であるか否かを判定し（Ｓ５８）、もし否であればリターンする。
【００５６】
そして、ステップＳ５８において所定値以上である場合には、ステップＳ５９において、シャッタ閉エラー表示を行うと共に、撮影が失敗であることを表示し（Ｓ５９）、ステップＳ６０では、シャッタ閉エラーを示すフラグを１にセットする（Ｓ６０）。その後、後述するサブルーチン『ダメージ処理』（図８参照）を実行する。すなわち、破線で囲まれた処理ステップでは、ファインダ輝度に対してＣＣＤ輝度が所定値以上明るいので、シャッタが閉じなかったことが予想される。
【００５７】
このように、上述のような評価基準に従って、露光直前の測光センサ３７（ＡＥセンサ）の測光時の被写体輝度と、撮像・露光時の撮像素子出力の輝度とを比較し、両方の輝度の差が所定値より大きかった場合には、シャッタ機構の故障発生と判断し、エラーシーケンス（例えば、シャッタエラー表示）を行うことがわかる。
【００５８】
図８のフローチャートに、上述のサブルーチン『ダメージ処理』の動作手順を示している。すなわち、
まずステップＳ９１において、ダメージフラグを１にセットする（Ｓ９１）。
ステップＳ９２において、いわゆる「シャッタ閉エラー」か否かの判定を行い（Ｓ９２）、否である場合はステップＳ９９に移行する。
【００５９】
一方、ステップＳ９２においてシャッタ閉エラーであった場合に、ステップＳ９３において、そのエラーが一回目であるか否かを判定し（Ｓ９３）、１回目であった場合には、更に輝度差の評価を行う（Ｓ９４）。つまり、エラーが一回目、即ち、撮影でエラーとなった場合、特に「シャッタ閉エラー」であれば、メカニカルシャッタの閉状態はスミア防止に用いている故に、このメカニカルシャッタと電子シャッタとを併用していれば、ある程度その映像が使用できる可能性がある。そこでこのような場合には、露出した画像データを救済するために補正処理を行って、その旨を表示して知らせるようにしている。
【００６０】
すなわち、続くステップＳ９５において、その画像データの補正処理が可能か否かを判定し（Ｓ９５）、否である場合はステップＳ１００に移行するが、もし補正可能であれば、ステップＳ９６において補正処理を指示すると共に（Ｓ９６）、その補正された画像データの記憶指示を行う（Ｓ９７）。そして更に、シャッタ閉エラーである旨の表示及び、補正した画像データを記憶した旨の表示を行って、次のステップＳ１０１に移行する。
【００６１】
またステップＳ９９においては、いわゆる「シャッタ開エラー」があるか否かの判定を行い（Ｓ９９）、否の場合はステップＳ１０１に移行する。
ステップＳ１００においては、後述のサブルーチン『再トライ』を実行する（Ｓ１００）。
【００６２】
その後、エラーが有るか否かを判定し（Ｓ１０１）、もし有れば故障発生とみなし、ステップＳ１０２にてスタンバイ状態となる（Ｓ１０２）。一方、エラーが無ければ、ステップＳ１０３において、ダメージフラグを０にセットし（Ｓ１０３）、エラー表示の消去を行い（Ｓ１０４）、図４のカメラメインシーケンスのスタートから実行する。
【００６３】
また図９のフローチャートには、サブルーチン『再トライ』の動作手順を示している。すなわち、
ステップＳ１１１において、前述したサブルーチン『再測光』をコールして実行する（Ｓ１１１）。
【００６４】
ステップＳ１１２では、最適な露光のための露出演算を行う（Ｓ１１２）。続いて、ステップＳ１１３において、露光のためのミラーアップを行い（Ｓ１１３）、ステップＳ１１４にて、絞りを最適露出のため絞り込み動作させる（Ｓ１１４）。またステップＳ１１５においては、露光のためフォーカルプレーンシャッタを開くように指示を行う（Ｓ１１５）。
【００６５】
ステップＳ１１６において、被写体の所定部分、例えば図３（ｂ）中のβエリアのみにおける撮像を指示する（Ｓ１１６）。つまり、撮像秒時を画像処理部に送信し撮像開始を指示すると、画像処理部は撮像素子で被写体像の撮像動作を開始し、所定撮像秒時後、その撮像素子のアナログ信号を転送し各種の画像処理を前述同様に行う。
【００６６】
その後、所定の秒時が経過したか否かを行い、所定時間だけ待機してから（Ｓ１１７）、シャッタを閉じるように指示を行う（Ｓ１１８）。
またステップＳ１１９においては、これまでアップされていたミラーをダウン動作させる（Ｓ１１９）。そして絞りを開放する動作を行う（Ｓ１２０）。
ステップＳ１２１において、撮像素子２３により得られた輝度に基づくＣＣＤＡＥ評価値と、前述の「ファインダＡＥ評価値」との大小比較を前述同様に行う（Ｓ１２１）。
【００６７】
ステップＳ１２２において、第２のデータとしての「ＣＣＤ輝度」と、第１のデータとしての「ファインダ輝度」の大小比較を行う（Ｓ１２２）。すなわち、ファインダ輝度に対してＣＣＤ輝度が所定値以上少ない（暗い）場合には、再度、シャッタが開かなかったことが予想される。そこで次のステップＳ１２３において、輝度差がその所定値以上であるか否かを判定し（Ｓ１２３）、もし否であればステップＳ１２４に進み、シャッタ開エラーフラグを０にセットする（Ｓ１２４）。
【００６８】
次にステップＳ１２５において再び、ＣＣＤ輝度とファインダ輝度との大小比較を行い（Ｓ１２５）、もしＣＣＤ輝度がファインダ輝度以上でなければ、シャッタ閉エラーフラグを０にセットして（Ｓ１２６）、その後、再トライ回数をカウントした後（Ｓ１３６）リターンするが、ステップＳ１２５においてＣＣＤ輝度がファインダ輝度以上であった場合は、ステップＳ１３１に進む。
【００６９】
また、上記ステップＳ１２３の判定において、輝度差が所定値より大きい場合に、ステップＳ１２７で、再トライが一回目であるか否かを判定し、まだ一回目であれば、それまでのエラー表示を続け（Ｓ１２９）、ステップＳ１３０に移行する。一方、一回目でなければ、シャッタ開エラーのみ示す表示を行い（Ｓ１２８）、続くステップＳ１３０において、シャッタ開エラーを示すフラグを１にセットしてから（Ｓ１３０）、ステップＳ１３６に進む。
【００７０】
ステップＳ１３１においては、ＣＣＤ輝度がファインダ輝度以上で且つその輝度差が所定値以上であるか否かを判定し（Ｓ１３１）、否であればステップＳ１２６に進むが、その輝度差が所定値以上である場合には次のステップＳ１３２で、再トライが一回目であるか否かを判定し（Ｓ１３２）、否であればシャッタ閉エラーを示す表示を行い（Ｓ１３４）、一方、まだ一回目であればそれ旨のエラー表示を続ける（Ｓ１３３）。そして、ステップＳ１３５で、シャッタ閉エラーを示すフラグを１にセットし（Ｓ１３５）、その後、ステップＳ１３６に進む。
【００７１】
ここで、エラー表示続行（ステップＳ１２９，Ｓ１３３）とは現在の表示を続けて表示することであり、シャッタ開エラー表示（Ｓ１２８）、シャッタ閉エラー表示（Ｓ１３４）とは、撮影失敗表示を消してそれぞれの表示のみとなることを示す。
【００７２】
（作用効果１）
このように、第１実施形態例のカメラによれば、例えばシャッタ機構の故障によって例えばシャッタ等の動作不良を起こし、例えば未露光などの不具合が発生した場合においては、本発明の電子カメラのいわゆる「露光不良検出システム」機能が働くことがわかる。
【００７３】
例えば、測光等のため測光センサで得られた撮影直前の被写体輝度に関する第１のデータと、撮影時における被写体輝度に関する第２のデータとの差が所定値よりも小さい場合は、撮影動作（露光も含む）が正常に行なわれたか、或いはシャッタが正常に開閉され、未露光等はなかったと判定できる。また、上記第１のデータが第２のデータよりも所定値以上大きい場合には、シャッタが正常に開状態とならず未露光となったと判定でき、反対に、上記第２のデータが第１のデータよりも所定値以上大きい場合には、シャッタが正常に閉状態とならず露光オーバー等が生じたと判定できる。
【００７４】
詳しくは、撮像素子であるＣＣＤによって感知した輝度が、ファインダ光学系による輝度に対して所定値以上あれば、例えばシャッタ機構に何らかの異常（故障）が発生したと判定する。そして、上記のように異常判定された状態に対しては、警告を行う。
【００７５】
このように、露光時に撮像素子で得られる輝度と、露光直前に輝度の差に基づいて、電子カメラの撮影時の不具合のその原因を判定することが可能となるので、撮影者自身がその原因を追求する面倒がまったくなくなることがわかる。
【００７６】
また、従来のカメラのように専用のシャッタ動作に関する専用の検出素子を含んだ検知機構を設置する必要がなくなるので、その検知機構のコスト及びその設置スペースも不要となる。また、未露光時に撮像した画像データは記憶・表示しないので従来に比べて電力消費もかからない。さらに従来の電子スチルカメラのような不要な画像を消去する等の手間もかからなくなる。
【００７７】
（第２実施形態例）
次に、「レンズシャッタ式」の電子カメラに本発明を適用した例を挙げて、第２実施形態例として説明する。
図１０には、いわゆる「二眼」タイプの形態の電子カメラシステムに本発明を適用した場合のカメラシステム３０１のブロック構成図が示されている。
【００７８】
このタイプのカメラシステム３０１では、被写体像を結像させるための専用の撮影レンズ群は、前段からレンズ３０１、レンズ３０２、レンズ３０３およびレンズ３０４にて構成され、この撮影レンズ群中には、セクタシャッタ３０５が図示の如く配置されている。このセクタシャッタ３０５は、シャッタ駆動回路３０６の出力に従って動作するシャッタプランジャ３０７によって駆動制御され、通常状態での撮像素子３１１への被写体光の遮光を行い、露光時には撮像素子３１１への被写体光の光量調整を行うために設けられている。
【００７９】
シャッタ手段としてのシャッタ３０５の動作は、シャッタ検知回路３０８によって検出され、その検出された情報は制御回路３０９に入力され上記シャッタ駆動回路３０６にフィードバックされるように構成されている。また、シャッタ検知回路３０８は、光検出素子である処のフォトインタラプタ（以下ＰＩと略記する）及びその専用検出回路で構成されており、シャッタが開いたか否かを検出できるようになっている。
【００８０】
撮影レンズ群を構成するレンズ３０２，３０３は、フォーカスズーム駆動回路３１０の出力に従って動作するレンズモータ３１１によって駆動制御されている。またレンズ３０２の初期位置や停止位置は、ズームエンコーダ３１２によって検出され、レンズ３０３の初期位置や停止位置は、フォーカスエンコーダ３２０によって検出されるように構成されている。そして、それぞれ検出された位置情報は制御回路３０９に入力された上記フォーカスズーム駆動回路３１０にフィードバックされる。
また撮影レンズ群の後方には、光学的なローパスフィルタ３１３と、被写体像を撮像してイメージ信号に変換する撮像素子３１１が配置されている。
【００８１】
以上の如く構成された二眼カメラは、およそ次のように動作する。すなわち、セクタシャッタ３０５が開いた状態となると、撮像素子２３上に被写体像が結像し、所定のタイミング信号によって撮像が開始される。撮像を終了するためにセクタシャッタ３０５が閉状態となると、撮像素子の撮像を終了し、撮像素子の光量蓄積データが画像処理回路に転送される。撮像素子３１１は画像処理回路３１３によって制御され、結像された被写体像をアナログ映像信号に変換処理した後、メモリに記憶する。
スイッチ入力回路３１４は各種操作スイッチの状態を検出して制御回路に入力する。尚、ここで各種操作スイッチとは、例えばレリーズスイッチなどである。
【００８２】
カメラ操作者によりレリーズスイッチがＯＮ操作されると、制御回路３０９はスイッチ入力回路３１４を介してそれを検出し認識すると、所定の撮像素子への露光動作を開始させる。
またこのカメラ３０１にも、前述の一眼レフカメラと同様に被写体照明用のストロボ回路３１５が設けられているので、図示しないストロボの発光が必要な場合には、補助光として動作するように駆動制御される。
【００８３】
このカメラでは、撮影レンズ群の上方に、被写体の輝度を測光する為の測光センサ３１６と、測光センサ３１６の分光感度を視感度と同じに調整する為の赤外カットフィルタ３１７とが設けられている。またこの赤外カットフィルタ３１７に隣接した前方には、撮影レンズ群のレンズ３０１〜３０４とほぼ同様に被写体像を測光センサ３１６に結像するよう配置されて成る結像レンズ３１８が設けられている。同様に、撮影レンズ群の更に上方にはファインダレンズ３１９が設けられ、撮影者は被写体像をこのレンズ３１９（接眼レンズ）を介して観察できる。
【００８４】
また、撮影レンズ群の上方には被写体距離測定のための投光回路３２２と、この投光回路３２２からの光を平行光束にするための投光レンズ３２３と、投光レンズの光を受光する受光センサ３２５と、前述の投光回路の光を受光センサに結像する受光レンズ３２４が設けられ、測距センサ駆動回路３２６の制御により、公知の「三角測量の原理」を適用して「アクティブ測距」が可能に構成されている。この測距センサ駆動回路３２６は制御回路３０９の統括制御により被写体距離を検出し、制御回路３０９はその結果に基づいてフォーカスズーム駆動回路３１０を介した駆動モータ３１１によってレンズ３０２を光軸上に平行移動させ、その被写体にピントを合わせる。
またこのカメラボディ３０１用の電源３０は、この二眼カメラ内の各回路へ所定の電力を適宜供給している。
【００８５】
図１１のフローチャートには、第２実施形態例におけるサブルーチン『レリーズ処理』の動作の手順を示している。すなわち、
ステップＳ１５１において、被写体に対する焦点検出を行い（Ｓ１５１）、その検出された合焦点までのレンズ駆動を行い（Ｓ１５２）、その後、被写体に対する測光を行う（Ｓ１５３）。
【００８６】
ステップＳ１５４では、最適な露光のための露出演算を行う（Ｓ１５４）。続くステップＳ１５５においては、シャッタ不良による未露光の時間制限をする未露光リミットタイマを初期値にセットしてから、スタートさせる（Ｓ１５５）。その後ステップＳ１５６において、シャッタを開くように指示して駆動させる（Ｓ１５６）。
【００８７】
ステップＳ１５７においては、例えばＰＩセンサ（フォトインタラプタ）の出力の大きさに基づき、シャッタの開閉状態を判定する（Ｓ１５７）。もしシャッタが閉じていれば、ステップＳ１５８において、未露光リミットタイマの制限時間が満了したか否かを判定し（Ｓ１５８）、まだ満了していなければ再び上記ステップＳ１５７に戻って。矢印の如く繰り返す。一方、制限時間が満了すると、シャッタ開エラーの発生を示す表示と共に、撮影（露光）の失敗を示す表示を行う（Ｓ１５９）。そして、シャッタ開エラーフラグを１にセットした後（Ｓ１６０）、エラーがあった場合の処理を実行する。
【００８８】
上記ステップＳ１５７の判定で、シャッタが開いたと判断した場合には、ステップＳ１６２にて撮影のための撮像指示を行う（Ｓ１６２）。
そしてステップＳ１６３では、所定の秒時が経過したか否かを行い（Ｓ１６３）、所定時間だけ待機し、その後ステップＳ１６４において、そのシャッタを閉じる指示を行う（Ｓ１６４）。
ステップＳ１６５においては、これまでの一連の撮像動作を終了する指示を行う（Ｓ１６５）。
【００８９】
続いて、ステップＳ１６６においては、前述したサブルーチン『撮像エラー評価』（図８参照）と同様の機能をもつサブルーチンを実行する（Ｓ１６６）。尚、この撮像エラー評価により正常に撮影又は露光が行われたかが同様に評価・判断される。
ステップＳ１６７においては、当該被写体の撮像データをメモリ内に記憶することの指示を行うと共に（Ｓ１６７）、続くステップＳ１６８では、例えば液晶表示デバイス上にその被写体像をモニタ表示する（Ｓ１６８）。そしてメインルーチン（図４参照）にリターンする。
【００９０】
（作用効果２）
このように、第２実施形態例の「二眼」タイプのカメラによれば、１つの検出素子を備えてはいるが、この素子自体は単純で且つ設置スペースやコストにはほとんど影響しないものである。
そしてこの例の二眼カメラでも、図１１の『レリーズ処理』中のステップＳ１１５〜Ｓ１６１の各処理手順が主に加わり、このカメラとしては実質的に第１実施形態例とほぼ同等な作用効果が得られることがわかる。
【００９１】
（変形例１）
例えば、前述したと同様に測光手段としての測光センサと、撮像手段としての撮像素子と、２つの異なる光路を通る被写体輝度の輝度を例えば同時に検出してもよく、この場合は、この測光手段が得た輝度出力と撮像手段が得た輝度出力とを同時に取得し、前述した様に比較してその輝度差が所定値よりもが大きい場合に、同様なエラーシーケンスおよびエラー表示を行うように構成してもよい。この場合は、輝度は時間的に同時に検出されるので、より正確である。
【００９２】
（その他の変形例）
このほかにも、本発明を適用するに際しそのカメラの種類に伴なう機構的なわずかな相違はある場合にも、本発明は、その要旨を逸脱しない範囲であれば種々の変形実施が可能である。
【００９３】
以上、実施形態に基づいて説明してきたが、本明細書中には次のような発明が含まれている。
（１）  被写体像を電気信号に変換する撮像素子をもつ電子カメラにおいて、
被写体の輝度を検出する測光手段と、
上記測光手段の出力から算出した撮影前の被写体輝度に関する第１のデータと、上記撮像素子の出力から算出した撮影時の被写体輝度に関する第２のデータとに基づき、撮影後に露光が正常に行われたか否かを判定する判定手段と、
上記判定手段によって露光が正常に行なわれていないと判定された場合に、警告を行う警告手段と、
を具備する電子カメラを提供できる。
【００９４】
（２）  被写体像を電気信号に変換する撮像素子をもつ電子カメラにおいて、
被写体の輝度を検出する測光手段と、
上記測光手段の出力から算出した撮影前の被写体輝度に関する第１のデータと、上記撮像素子の出力から算出した撮影時の被写体輝度に関する第２のデータとを撮影後に比較する比較手段と、
上記比較手段の出力結果に基づいて、露光が正常に行われたか否かを判定する判定手段と、
上記判定手段によって露光が正常に行なわれていないと判定された場合に、警告を行う警告手段と、
を具備する電子カメラを提供できる。
【００９５】
（３）  被写体像を電気信号に変換する撮像素子をもつ電子カメラにおいて、
被写体の輝度を検出する測光手段と、
上記撮像素子へ入射する被写体光を遮光するために開閉可能なシャッタ手段と、
撮影前に上記測光手段の出力から算出した撮影前の被写体輝度に関する第１のデータと、上記シャッタ手段を開状態としたときの上記撮像素子の出力から算出した撮影時の被写体輝度に関する第２のデータとを比較する比較手段と、
上記比較手段の比較結果に基づいて、上記シャッタ手段が正常に開閉動作されたか否かを判定する判定手段と、
上記判定手段によって上記シャッタ手段が正常に開閉されていないと判定された場合に、警告動作を行う警告手段と、
を具備する電子カメラを提供できる。
【００９６】
（４）  被写体像を電気信号に変換する撮像素子をもつ電子カメラにおいて、
被写体の輝度を検出する測光手段と、
上記撮像素子へ入射する被写体光を遮光するために開閉可能なシャッタ手段と、
上記撮像素子で撮像した画像データを記憶する記憶手段と、
撮影前に上記測光手段の出力から算出したその撮影前の被写体輝度に関する第１のデータと、上記シャッタ手段を開状態にしたときの上記撮像素子の出力から算出した露光時の被写体輝度に関する第２のデータとを比較する比較手段と、
上記判定手段の比較結果に基づいて、上記シャッタ手段が正常に開閉されたか否かを判定する判定手段と、
を具備し、
上記判定手段によって上記シャッタ手段が正常に開閉されていなかったと判定され場合には、上記記憶手段に当該データを記憶しないことを特徴とする電子カメラを提供できる。
【００９７】
（５）  上記判定手段は、上記第１のデータと上記第２のデータとの差が所定値よりも小さい場合、撮影が正常に行なわれている、或いは上記シャッタ手段が正常に開閉されていると判定することを特徴とする、（１）〜（４）の何れかに記載の電子カメラを提供できる。
（６）  上記判定手段は、上記第１のデータが上記第２のデータよりも所定値以上大きい場合には、上記シャッタ手段が正常に開状態とならなかったと判定し、上記第２のデータが上記第１のデータよりも所定値以上大きい場合には、上記シャッタ手段が正常に閉状態とならなかったと判定し、
上記警告手段は、上記判定された状態に対して異なる警告を行うことを特徴とする（１）〜（５）の何れかに記載の電子カメラを提供できる。
【００９８】
（７）  上記警告手段による警告は、視覚的なエラー表示を行うことを特徴とする、（１）〜（６）の何れかに記載の電子カメラを提供できる。
【００９９】
その他にも本明細書中には次の発明も含まれている。例えば、
（８）  電気的に被写体像を記録可能なデジタルカメラであって、
光学的な像を電気的に撮像する撮像手段と、
被写体光の輝度を測光する測光手段と、
撮影以前に上記測光手段から出力された値に基づいた撮影前の被写体輝度に関する第１のデータと、
撮影以後に上記撮像手段から出力された値に基づいた撮影時の被写体輝度に関する第２のデータと、
上記第１のデータと上記第２のデータを比較する比較手段と、
上記比較手段に基づいて露光動作が正常に行われたか否かを判定する判定手段と、
上記判定手段の判定結果に基づいて、撮影が正常に行われなかった場合には、エラー表示を行うエラー表示手段と、
を有することを特徴とするデジタルカメラを提供する。
これで、測光手段（測光センサ）と得られた撮像データからエラー発生の検出を行える。
【０１００】
（９）  電気的に被写体像を記録可能なデジタルカメラであって、
光学的な像を電気的に撮像する撮像手段と、
被写体光の輝度を測光する測光手段と、
上記撮像手段と被写体との間に配され、上記被写体光と上記撮像手段の間で遮光可能なシャッタ手段と、
撮影前に上記測光素子の出力された値に基づいた撮影前の被写体輝度に関する第１のデータと、
上記シャッタ手段が開き、上記撮像手段に被写体光が入射したときに上記撮像手段から出力された値に基づいた撮影時の被写体輝度に関する第２のデータと、
上記第１のデータと第２のデータを比較する比較手段と、
上記比較手段に基づいて上記シャッタ手段が正常に開閉されたか否かを判定する判定手段と、
上記撮像手段で撮像した当該被写体に関する画像データを記憶する記憶手段と、
上記判定手段の判定結果に基づいて、上記シャッタ手段が正常に開閉されなかったと判定された場合は、所定のエラー表示を行うと共に、上記記憶手段は当該画像データの記憶動作を行わないことを特徴とするデジタルカメラ。
【０１０１】
これで、測光手段と撮像手段の輝度差の大きさに基づいてシャッタ手段の異常、すなわち「シャッタエラー」の有無を判定し、エラーが有った場合にはその得られた画像データ（即ち、撮像イメージ）の記憶動作を禁止できる。
【０１０２】
（１０）  上記判定手段は上記第１および上記第２のデータの差が所定閾値より大きい場合には、露光が正常に行われなかったか又は上記シャッタ手段が正常に開閉されなかったと判定することを特徴とする、（８）又は（９）に記載のデジタルカメラを提供できる。
（１１）  上記判定手段は、上記第１のデータの方が第２のデータよりも所定閾値以上、即ち測光時の被写体光の方が明るい場合には、上記シャッタ手段の開時のエラー、即ちシャッタが開かなかったと判定し、
上記第１のデータの方が上記第２のデータよりも所定閾値以上、即ち露光時の被写体光の方が暗いことを示す場合には、上記シャッタ手段の閉時のエラー、即ちシャッタが閉じなかったと判定し、
それぞれの判定に基づいたエラー処理を行うことを特徴とする、（９）又は（１０）に記載のカメラを提供できる。
【０１０３】
（１２）  電気的に映像を記録可能なデジタルカメラであって、
光学的な像を電気的に撮像する撮像手段と、
被写体光の輝度を測光する測光手段と、
上記撮像手段と被写体の間に配され、上記被写体光と撮像素子の間の遮光可能なシャッタ手段と、
上記シャッタ手段が開いたか否かを検出するシャッタ開検出手段と、
撮影前に上記測光手段の出力された値に基づいた撮影時の被写体輝度に関する第１のデータと、
上記撮像手段で撮像した被写体に関する画像データを記憶する記憶手段と、
上記シャッタ手段が開き、上記撮像手段に被写体光が入射したときに上記撮像手段から出力された値に基づいた撮影時の被写体輝度に関する第２のデータと、
上記第１のデータと上記第２のデータを比較する比較手段と、
上記比較手段に基づいて上記シャッタ手段が正常に開閉されたか否かを判定する判定手段と、
上記撮像手段は、上記シャッタ開検出手段が上記シャッタ手段が開いたことを検出した場合には所定の撮像動作を行い、
上記判定手段の判定結果に基づいて、上記シャッタ手段が正常に開閉されなかった場合には、所定のエラー表示を行い、一方、上記記憶手段は当該被写体の撮像イメージデータの記憶は行わない特徴のデジタルカメラを提供できる。
これで、測光手段と撮像手段とでそれぞれ得られた輝度の差（輝度差）に基づいてシャッタ開検出手段がシャッタエラーの発生を判定し、このエラーの発生があった場合には、当該被写体の撮像イメージの電子的記憶動作を禁止できる。
【０１０４】
（１３）  上記測光手段（ＡＥセンサ）の測光時の被写体輝度と、撮像・露光時の上記撮像素子が出力した被写体輝度とを比較し、両方の被写体輝度の差が所定値より大きかった場合には、シャッタ機構の故障発生と判断して、エラーシーケンス（例えばシャッタエラー表示）を行うことを特徴とするデジタルカメラを提供できる。
【０１０５】
【発明の効果】
このように、シャッタ機構の故障に起因する未露光などの不具合が発生した場合において、いわゆる「露光不良検出システム」機能を有する本発明の電子カメラにより、専用の検知機構の設置コスト及び設置スペースの無駄がなく、表示の為の無駄な電力消費もせず、撮影者にわかり易く手間のいらない電子カメラを提供することが可能となる。
【図面の簡単な説明】
【図１】図１は、本発明の第１実施形態例としての「一眼レフ」タイプの電子カメラシステムの構成を示すブロック構成図。
【図２】図２は、画像処理回路の詳細な構成を示すブロック構成図。
【図３】  図３（ａ）〜（ｂ）は被写体の輝度を検出する際の視野を示し、図３（ａ）は、測光センサの検出範囲が九分割されている構造を示す説明図、図３（ｂ）は、撮像素子の検出範囲が三分割されている構造を示す説明図。
【図４】図４は、第１実施形態例のカメラシーケンスのメインルーチンを示すフローチャート。
【図５】図５は、サブルーチン『レリーズ処理』の動作手順を示すフローチャート。
【図６】図６は、サブルーチン『再測光』の動作手順を示すフローチャート。
【図７】図７は、サブルーチン『撮像エラー評価』の動作手順を示すフローチャート。
【図８】図８は、サブルーチン『ダメージ処理』の動作手順を示すフローチャート。
【図９】図９は、サブルーチン『再トライ』の動作手順を示すフローチャート。
【図１０】図１０は、本発明の第２実施形態としての「二眼」タイプの電子カメラシステムを示すブロック構成図。
【図１１】図１１は、同じく第２実施形態におけるサブルーチン『レリーズ処理』の動作手順を示すフローチャート。
【符号の説明】
１…交換レンズ、
２…撮影レンズ(前段)、
３…絞り機構、
４…撮影レンズ(後段)、
５…フォーカスモータ、
６…ズームエンコーダ、
７…絞りエンコーダ、
８…フォーカスエンコーダ、
９…レンズモータ、
１０…絞りモータ、
１１…ズーム駆動回路、
１２…絞り駆動回路、
１３…フォーカス駆動回路、
１４…レンズ制御回路（交換レンズ側）、
１５…通信ライン、
１６…通信コンタクト、
１７…可動ミラー、
１８…サブミラー、
１９…セパレータ光学系、
２０…ラインセンサ、
２１…フォーカルプレーンシャッタ、
２２…ローパスフィルタ、
２３…撮像素子、
２４…焦点板、
２５…ペンタプリズム、
２６…ファインダ接眼光学系、
２７…ミラー駆動回路、
２８…ラインセンサ駆動回路、
２９…シャッタ駆動回路、
３０…電源（カメラボディ側）、
３１…カメラボディ、
３２…ストロボ回路、
３３…不揮発性メモリ、
３４…表示回路、
３５…制御回路（カメラボディ側）、
３６…スイッチ入力回路、
３７…測光センサ、
３８…通信ライン、
３９…通信コンタクト、
４１…測光センサ駆動回路、
４２…画像処理回路。
【図１】
0004327933.tif 000002
【図２】
0004327933.tif 000003
【図３】
0004327933.tif 000004
【図４】
0004327933.tif 000005
【図５】
0004327933.tif 000006
【図６】
0004327933.tif 000007
【図７】
0004327933.tif 000008
【図８】
0004327933.tif 000009
【図９】
0004327933.tif 000010
【図１０】
0004327933.tif 000011
【図１１】
0004327933.tif 000012